(57)【要約】【課題】宅内にて特定の端末器（緊急コール端末器）により緊急コールを発信した第１の使用者が、緊急コールの要請対象である第２の使用者の外出・在宅を問わず、第２の使用者との間で音声通話が可能な監視システムを提供する。【解決手段】中央処理装置２４は、端末器のうち特定の端末器（緊急コール端末器）から非定常状態である信号を受信した場合、モード設定手段のモード内容に応じて、中央処理装置２４と特定の端末器との間で音声通信を行う、または、予め登録された通信装置に外線接続し前記通信装置と特定の端末器との間で音声による通話をできるようにする。【選択図】　図２
2004029997.tif 000002
【特許請求の範囲】
【請求項１】
定常または非定常の状態を監視する複数の端末器および１台の中央処理装置と、前記端末器および前記中央処理装置との間で、前記定常状態または非定常状態に関するデータの送信または受信を行うデータ通信手段と、音声信号の送信または受信を行う音声通信手段と、複数のモードを設定するモード設定手段を備え、前記中央処理装置は、前記端末器のうち特定の端末器から非定常状態である信号を受信した場合、前記モード設定手段のモード内容に応じて、前記中央処理装置と特定の端末器との間で音声通信を行う、または、予め登録された通信装置に外線接続し前記通信装置と特定の端末器との間で音声通信を行うようにした監視システム。
【請求項２】
中央処理装置は、前記モード設定手段のモード内容が、全ての端末器より非定常状態である信号を受け付ける第１の設定モードの場合、かつ、前記端末器のうち特定の端末器から非定常状態である信号を受信した場合、予め登録された通信装置に外線接続し前記通信装置と特定の端末器との間で音声通信を行うようにした請求項１記載の監視システム。
【請求項３】
中央処理装置は、前記モード設定手段のモード内容が、複数の端末器の中で幾つかの端末器だけ非定常状態である信号を受け付ける第２の設定モードの場合、かつ、前記端末器のうち特定の端末器から非定常状態である信号を受信した場合、前記中央処理装置と特定の端末器との間で音声通信を行う、あるいは、予め登録された通信装置に外線接続し前記通信装置と特定の端末器との間で音声通信を行うように、いずれか一方を選択できるようにした請求項１記載の監視システム。
【請求項４】
中央処理装置は、前記モード設定手段のモード内容が、全ての端末器より非定常状態である信号を受け付けない第３の設定モードの場合においても、前記端末器のうち特定の端末器から非定常状態である信号を受信した場合、前記中央処理装置と特定の端末器との間で音声通信を行うようにした請求項１記載の監視システム。
【請求項５】
中央処理装置は、前記端末器のうち特定の端末器から非定常状態である信号を受信し、予め登録された通信装置に外線接続し前記通信装置と特定の端末器との間で音声通信を行う場合、特定の端末器からは音声通信を切断できないようにした請求項２〜３のいずれか１項記載の監視システム。
【請求項６】
中央処理装置は、前記端末器のうち特定の端末器から非定常状態である信号を受信し、予め登録された通信装置に外線接続し前記通信装置と特定の端末器との間で音声通信を行う際に、通話時間が所定の値に満たない場合、前記通信装置に外線接続を繰り返すようにした請求項２〜３のいずれか１項記載の監視システム。
【請求項７】
中央処理装置は、前記端末器のうち特定の端末器から非定常状態である信号を受信し、前記中央処理装置と特定の端末器との間で音声通信を行う場合、他の端末器においても呼出音を吹鳴するようにした請求項３〜４のいずれか１項記載の監視システム。
【請求項８】
中央処理装置は、前記端末器のうち特定の端末器から非定常状態である信号を受信し、前記中央処理装置と特定の端末器との間で音声通信を行う際に、他の端末器から非定常状態である信号を受け付けた場合、非定常状態である信号を送信した端末器と特定の端末器との間で音声通信を行うようにした請求項４記載の監視システム。
【請求項９】
前記特定の端末器は、中央処理装置に非定常状態である信号を送信中である旨を示す第１の表示手段と、前記中央処理装置と特定の端末器との間で音声通信を行う、または、予め登録された通信装置に外線接続し前記通信装置と特定の端末器との間で音声通信を行う状態が確立された旨を示す第２の表示手段を備えたことを特徴とする請求項１記載の監視システム。
【請求項１０】
請求項１〜９のいずれか記載の監視システムにて少なくとも一つの手段をコンピュータに実行させるためのプログラム。
【発明の詳細な説明】
【０００１】
【発明の属する技術分野】
本発明は、端末器からの非定常信号に基づいて中央処理装置から自動通報を行う監視システムに関するものである。
【０００２】
【従来の技術】
近年、窃盗犯罪の増加に伴い、住居における監視システムの需要が増加している。従来この種の監視システムは、侵入者検知用の複数のセンサ端末器と警報を発する中央処理装置との組み合わせからなり、中央処理装置は、各センサ端末器より侵入発生などの非定常状態を受け付けると外線電話に自動的に通報し、中央処理装置との間で音声通話ができるものも普及し始めている。
【０００３】
また、最近では、各センサ端末器と中央処理装置との間で簡易的な通話機能（宅内インターホーン機能）を備える監視システムも提案されており、以下、その構成について説明する。
【０００４】
図１５は、従来この種の監視システムのシステムブロック図であり、１は中央処理装置、２〜４は端末器である。これら中央処理装置１と端末器２〜４間は、後述する無線による通信手段によって通信が行われる。端末器２〜４のうち、端末器２〜３には侵入検知手段が設けられており、端末器４には緊急コール手段が設けられている。特に端末器４は他の端末器との用途の違いから本発明では特定の端末器としている。
【０００５】
図１６は中央処理装置１の内部ブロック図である。５はデータ通信手段、６は音声を変復調して通信を行う音声通信手段、７はデータ通信手段５からの出力を受けて外線電話に接続して音声通信手段６を公衆回線に接続する公衆回線接続手段。８は電話回線に接続するための外線接続部、９は中央処理装置１全体の動作を設定する設定部である。１０は音声通信手段６から出力される音声を拡声する音声出力手段、１１は中央処理装置から端末器に対して音声を送信するための音声入力手段である。
【０００６】
図１７は端末器２または３の内部ブロック図である。１２は侵入検知手段で（図示はしないが）赤外線の受発光部を設けており、端末器２〜３の周囲１〜３ｍに発光した赤外線出力の変化に応じて非定常状態を検知するものである。つまり、この端末器を宅内の窓近傍あるいは居間などに設置することにより、外部から宅内への侵入を検知することができる。
【０００７】
１３は端末制御部で、侵入検知手段１２からの非定常信号、すなわち侵入が発生したという情報を、中央処理装置１に対して自らの端末器コードと共に、データ通信手段１４を用いて無線によって送信するものである。１５は音声通信手段で、中央処理装置１との間で音声信号を通信する。１６は音声出力手段で、音声通信手段１５によって受信・復調された音声信号を拡声するものである。１７は音声入力手段で、これによって端末器２周辺の音声は集音され、音声通信手段１５で変調されて中央処理装置１に送信される。
【０００８】
図１８は端末器４の内部ブロック図である。１８は緊急コール手段（緊急呼び出しボタン）であり、使用者はこの緊急コール手段を押すことにより緊急事態の発生を知らせることができる。１９は端末制御部で、緊急コール手段１８からの非定常信号、すなわち使用者が緊急事態に陥っているという情報を、中央処理装置１に対して自らの端末器コードと共に、データ通信手段２０を用いて無線によって送信するものである。２１は音声通信手段で、中央処理装置１との間で音声信号を通信する。２２は音声出力手段で、音声通信手段２１によって受信された音声信号を拡声するものである。２３は音声入力手段で、端末器４を携行する使用者の音声を音声通信手段２１から中央処理装置１に送信するためのものである。
【０００９】
以上の構成に基づいて動作を説明する。使用者の外出時において、中央処理装置１の設定部９によって警戒モード（外出警戒モード）を設定することにより、警戒動作が開始する。警戒動作中において端末器２〜３が設置されている宅内の窓近傍あるいは居間に外部から宅内への侵入があると侵入検知手段１０が動作し、端末器２〜３におけるデータ通信手段１４に対して非定常状態発生の信号が出力される。データ通信手段１４はこの信号を受けると中央処理装置１のデータ通信手段５に対して信号を発信する。この信号は、まず自らの端末器のアドレスコードと侵入が発生したという旨の状態コードを順次送信する。中央処理装置１では、中央処理装置１のデータ通信手段５においてこの送信信号を受信し、どの端末器からの信号かを判別し、さらには侵入発生した旨の信号を受信する。この信号に基づき、公衆回線接続手段７が動作し、外線接続部８から予め登録された電話番号に対応した外線電話機または携帯電話機に侵入が発生した箇所名と侵入発生の旨を通知する音声メッセージを通報する。
【００１０】
次に外線電話機で通知を受けた使用者は、電話機から所定のトーン信号を送信し、回線接続部７によって音声通信手段６を動作させる。中央処理装置１からは、音声通信制御手段６によって複数の端末器に対して共通の呼び出し信号を発信するが、非定常信号を送信した端末器では端末制御部１３によって音声通信手段１５が予め待ち受け状態になっており、中央処理装置１の音声通信手段６からの共通呼び出し信号を受けると端末器の音声通信手段１５が動作し、外線電話機との通話構成が確立する。これによって端末器の周辺の音声を、音声入力手段１７を通じて外線電話機でモニタすることができるようになり、周辺状況の傍受が可能となる。また、必要な場合は電話機を通じて音声出力手段１６から使用者の音声によって侵入者に対して威嚇を行うわけである。
【００１１】
また、使用者が在宅であっても夜間の就寝時には中央処理装置１の設定部９から在宅状態に対応した警戒モード（在宅警戒モード）を設定する。この場合に侵入が発生した場合は、（中央処理装置１は外線電話機に電話をかけることなく）端末器からの音声信号は中央処理装置１の音声出力手段１０から拡声される。これによって該当端末器の周辺の音声による状況傍受を中央処理装置１において行うことができる。またこの場合は、中央処理装置１の音声入力装置１１から該当の端末器に対して音声信号を出力する。これによって該当端末器に対して中央処理装置１から侵入者に対して音声による威嚇を行うわけである。
【００１２】
次に緊急コールに関する動作を説明する。在宅時であっても侵入が発生して急を要する場合、または使用者の体調が急変して外部に連絡が必要なときなどに、使用者が端末器４の緊急コール手段１８を動作させることによって、同様に端末器のアドレスコードと緊急事態発生の状態コードが中央処理装置１に送信され、これに基づいて対応する音声メッセージを、公衆回線接続手段７によって外部の電話機または携帯電話に通報することができる。外線電話機で通知を受けた被連絡者は、続いて電話機から所定のトーン信号を送信し、回線接続部７によって音声通信手段６を動作させることができる。非定常信号を送信した端末器４では端末制御部１９によって音声通信手段２１が待ち受け状態になっており、中央処理装置１の音声通信手段６からの呼び出し信号を受けると端末器４の音声通信手段２１が動作する。これによって端末器４を携行している使用者の音声を、音声入力手段２３を通じて外線電話機でモニタすることができるようになり、使用者の状況確認が可能となる。また、必要な場合は電話機を通じて音声出力手段２２から被連絡者の音声によって使用者対して呼びかけを行うわけである。
【００１３】
【発明が解決しようとする課題】
しかしながら、前記従来の構成では、中央処理装置は、端末器のうち特定の端末器（緊急コール端末器）から非定常状態である信号を受信した場合、一義的に中央処理装置と特定の端末器との間で音声通信を行う設定、または、一義的に予め登録された通信装置に外線接続し前記通信装置と特定の端末器との間で音声通信を行う設定しかできないため、特定の端末器（緊急コール端末器）により緊急コールを発信した第１の使用者が、緊急コールの要請対象である第２の使用者の外出・在宅によっては連絡がつかないと言う課題を有していた。
【００１４】
本発明は、上記従来の課題を解決するためのもので、宅内にて特定の端末器（緊急コール端末器など）により緊急コールを発信した第１の使用者が、緊急コールの要請対象である第２の使用者の外出・在宅を問わず、速やかに第２の使用者との間で音声通話が可能な監視システムを提供することを目的とする。
【００１５】
【課題を解決するための手段】
前記従来の課題を解決するために、本発明の監視システムは、定常または非定常の状態を監視する複数の端末器および１台の中央処理装置と、前記端末器および前記中央処理装置との間で、前記定常状態または非定常状態に関するデータの送信または受信を行うデータ通信手段と、音声信号の送信または受信を行う音声通信手段と、複数のモードを設定するモード設定手段を備え、中央処理装置は、前記端末器のうち特定の端末器から非定常状態である信号を受信した場合、前記モード設定手段のモード内容に応じて、中央処理装置と特定の端末器との間で音声通信を行う、または、予め登録された通信装置に外線接続し前記通信装置と特定の端末器との間で音声通信を行うようにしたものである。
【００１６】
これにより、宅内にて特定の端末器（緊急コール端末器など）により緊急コールを発信した第１の使用者は、前記モード設定手段によりモードを設定した第２の使用者との間で（第２の使用者が外出・在宅にかかわらず）音声通信を行うようにしたものである。
【００１７】
【発明の実施の形態】
請求項１に記載の発明は、定常または非定常の状態を監視する複数の端末器および１台の中央処理装置と、前記端末器および前記中央処理装置との間で、前記定常状態または非定常状態に関するデータの送信または受信を行うデータ通信手段と、音声信号の送信または受信を行う音声通信手段と、複数のモードを設定するモード設定手段を備え、中央処理装置は、前記端末器のうち特定の端末器から非定常状態である信号を受信した場合、前記モード設定手段のモード内容に応じて、中央処理装置と特定の端末器との間で音声通信を行う、または、予め登録された通信装置に外線接続し前記通信装置と特定の端末器との間で音声通信を行うようにしたものであり、これにより、宅内にて特定の端末器（緊急コール端末器など）により緊急コールを発信した第１の使用者は、前記モード設定手段によりモードを設定した第２の使用者との間で（第２の使用者が外出・在宅にかかわらず）速やかな音声通話が可能となるものである。
【００１８】
請求項２に記載の発明は、請求項１に記載の監視システムにて、中央処理装置は、前記モード設定手段のモード内容が、全ての端末器より非定常状態である信号を受け付ける第１の設定モードの場合、かつ、前記端末器のうち特定の端末器から非定常状態である信号を受信した場合、予め登録された通信装置に外線接続し前記通信装置と特定の端末器との間で音声通信を行うようにしたものであり、これにより、宅内にて特定の端末器（緊急コール端末器など）により緊急コールを発信した第１の使用者は、前記モード設定手段によりモードを全ての端末器（侵入検知用の端末器など）より非定常状態である信号（侵入検知信号など）を受け付ける第１の設定モード（外出警戒モードなど）を設定して外出した第２の使用者との間で外線電話を使って速やかな音声通話が可能となるものである。
【００１９】
請求項３に記載の発明は、請求項１に記載の監視システムにて、中央処理装置は、前記モード設定手段のモード内容が、複数の端末器の中で幾つかの端末器だけ非定常状態である信号を受け付ける第２の設定モードの場合、かつ、前記端末器のうち特定の端末器から非定常状態である信号を受信した場合、中央処理装置と特定の端末器との間で音声通信を行う、あるいは、予め登録された通信装置に外線接続し前記通信装置と特定の端末器との間で音声通信を行うように、いずれか一方を選択できるようにしたものであり、これにより、宅内にて特定の端末器（緊急コール端末器など）により緊急コールを発信した第１の使用者と、前記モード設定手段により複数の端末器の中で幾つかの端末器（侵入検知用の端末器など）だけ非定常状態である信号（侵入検知信号など）を受け付ける第２の設定モード（在宅警戒モードなど）を設定した第２の使用者との間で速やかに音声通話を行うことができるように（第２の使用者の外出・在宅別に応じて）特定の端末器と音声通話を行う対象を、中央処理装置か外線電話かのいずれか一方を選択可能とするものである。
【００２０】
請求項４に記載の発明は、請求項１に記載の監視システムにて、中央処理装置は、前記モード設定手段のモード内容が、全ての端末器より非定常状態である信号を受け付けない第３の設定モードの場合においても、前記端末器のうち特定の端末器から非定常状態である信号を受信した場合、中央処理装置と特定の端末器との間で音声通信を行うようにしたものであり、これにより、宅内にて特定の端末器（緊急コール端末器など）により緊急コールを発信した第１の使用者は、前記モード設定手段によりモードを全ての端末器（侵入検知用の端末器など）より非定常状態である信号（侵入検知信号など）を受け付けない第３の設定モード（警戒解除モードなど）を設定し在宅している第２の使用者との間で中央処理装置を介して速やかな音声通話が可能となるものである。
【００２１】
請求項５に記載の発明は、請求項２〜３に記載の監視システムにて、中央処理装置は、前記端末器のうち特定の端末器から非定常状態である信号を受信し、予め登録された通信装置に外線接続し前記通信装置と特定の端末器との間で音声通信を行う場合、特定の端末器からは音声通信を切断できないようにしたものであり、これにより、宅内にて特定の端末器（緊急コール端末器など）により緊急コールを発信した第１の使用者が、モード設定（外出警戒モードまたは在宅警戒モードなどを設定）をして外出した第２の使用者との間で外線電話を使って音声通話を行っている間、第１の使用者が不用意に通話を切断してしまうことを防ぐものである。
【００２２】
請求項６に記載の発明は、請求項２〜３に記載の監視システムにて、中央処理装置は、前記端末器のうち特定の端末器から非定常状態である信号を受信し、予め登録された通信装置に外線接続し前記通信装置と特定の端末器との間で音声通信を行う際に、通話時間が所定の値に満たない場合、前記通信装置に外線接続を繰り返すようにしたものであり、これにより、宅内にて特定の端末器（緊急コール端末器など）により緊急コールを発信した第１の使用者が、モード設定（外出警戒モードまたは在宅警戒モードなどを設定）をして外出した第２の使用者との間で外線電話を使って音声通話を行っている間に、例えば、外線電話の事情（携帯電話で受ける通信電波が弱い場合など）や外線電話に応答した前記第２の使用者が誤った操作から、前記第１の使用者の状況を把握する前に通話を切断してしまった場合にも、速やかに外線電話の通話を回復するものである。
【００２３】
請求項７に記載の発明は、請求項３〜４に記載の監視システムにて、中央処理装置は、前記端末器のうち特定の端末器から非定常状態である信号を受信し、中央処理装置と特定の端末器との間で音声通信を行う場合、他の端末器においても呼出音を吹鳴するようにしたものであり、これにより、宅内にて特定の端末器（緊急コール端末器など）により緊急コールを発信した第１の使用者の要求を、モード設定し（在宅警戒モードまたは警戒解除モードなどを設定し）在宅している第２の使用者に速やかに知らせることを可能とするものである。
【００２４】
請求項８に記載の発明は、請求項４に記載の監視システムにて、中央処理装置は、前記端末器のうち特定の端末器から非定常状態である信号を受信し、中央処理装置と特定の端末器との間で音声通信を行う際に、他の端末器から非定常状態である信号を受け付けた場合、非定常状態である信号を送信した端末器と特定の端末器との間で音声通信を行うようにしたものであり、これにより、宅内にて特定の端末器（緊急コール端末器など）により緊急コールを発信した第１の使用者は、前記モード設定手段によりモードを全ての端末器（侵入検知用の端末器など）より非定常状態である信号（侵入検知信号など）を受け付けない第３の設定モード（警戒解除モードなど）を設定し在宅している第２の使用者が、中央処理装置の近くにいない場合にでも（本来侵入検知の用途として）宅内に設置している端末器（侵入検知用の端末器など）の近くにいる場合には、その端末器と音声による通話が可能となるものである。
【００２５】
請求項９に記載の発明は、請求項１に記載の監視システムにて、特定の端末器は、中央処理装置に非定常状態である信号を送信中である旨を示す第１の表示手段と、中央処理装置と特定の端末器との間で音声通信を行う、または、予め登録された通信装置に外線接続し前記通信装置と特定の端末器との間で音声通信を行う状態が確立された旨を示す第２の表示手段を備えたものであり、これにより、宅内にて特定の端末器（緊急コール端末器など）により緊急コールを発信した第１の使用者に対して、第１の表示手段（呼出中を示すランプの点灯など）にて緊急コールを第２の使用者に要請している過程を知らせ、また、第２の表示手段（通話が可能である状態になった旨の通話可能ランプの点灯など）にて通話可能なタイミングを知らせることを可能とするものである。
【００２６】
請求項１０に記載の発明は、請求項１〜９のいずれかに記載の監視システムの少なくとも一つの手段をコンピュータに実行させるためのプログラムである。この構成によれば、監視システムは、中央処理装置は、複数の端末器のうち特定の端末器から非定常状態である信号を受信した場合、モード設定手段にあらかじめ設定されたモードの内容に応じて、中央処理装置と特定の端末器との間で音声通信を行う、または、予め登録された通信装置に外線接続し前記通信装置と特定の端末器との間で音声通信を行うようにしたものである。また、プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００２７】
【実施例】
以下、本発明の実施例について、図１〜１４を参照しながら説明する。なお、上記従来例と同じ構成のものは同一符号を付して説明を省略する。
【００２８】
（実施例１）
図１は、本実施例１の監視システムのシステムブロック図、図２は、本発明の実施例１の中央処理装置の内部ブロック図、図３は、本発明の実施例１の端末器２〜３の内部ブロック図であり、図４は、本発明の実施例１の端末器４（特定の端末器である緊急コール端末器）の内部ブロック図であり、図５は、中央処理装置２４の要部動作を示すフロ−チャ−トである。図１〜４に示すように従来例との違いを述べると、図２において２５は、複数のモードが設定可能なモード設定手段であり、モード内容の設定は設定部９にて行う。その他は、中央処理装置２４以外は従来例と同じ構成である。
【００２９】
以上のように構成された監視システムについて、以下その動作、作用を説明する。
【００３０】
中央処理装置の動作を開始すると、図５のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ２８にてモード内容が、外線電話に接続するモードである場合、ステップ２９にて公衆回線接続手段７および外線接続部８を用いて設定部９にてあらかじめ登録している外線電話に電話をかけ通信を確立し、ステップ３０ａにて緊急コール端末器との通話を開始する。
【００３１】
この段階の音声通信について補足して説明すると、ステップ２９にて確立した中央処理装置２４と外線電話は公衆回線を用いており（いわゆる宅内の固定電話より宅外の携帯電話に電話するそれと同様であり）、ステップ３０ａにおける緊急コール端末器と中央処理装置２４との間はデータ通信手段５を用いた簡易無線通信（いわゆる電話料金のかからない宅内インターフォン機能）である。つまり、ステップ３０ａ段階では、緊急コール端末器の周囲の音声を、緊急コール端末器から中央処理装置２４までの間は簡易無線により送信し、中央処理装置２４から外線電話には公衆回線を用いて送信するという２つの（種別の違う）通信経路を用いて宅内の音声状況を宅外に送信するものである。
【００３２】
外線電話により緊急コールを発信した使用者の状況を確認した後に、ステップ３１にて外線電話との通信を切断し、ステップ３２にて緊急コール端末器との通話を切断して一連の安否確認処理を終了する。
【００３３】
一方、ステップ２８にてモード内容が外線電話に接続するモードでない場合（外線電話に電話をかけることなく）、ステップ３０ｂにて中央処理装置２４と緊急コール端末器との通話を開始し、緊急コールを発信した使用者の状況を確認した後に、ステップ３２にて緊急コール端末器との通話を切断して一連の安否確認処理を終了する。
【００３４】
以上のように、本実施例では、宅内にて特定の端末器（緊急コール端末器）により緊急コールを発信した第１の使用者の通話先を（モード設定手段を用いることにより）中央処理装置と特定の端末器との間で音声通信を行う、あるいは、予め登録された通信装置に外線接続し前記通信装置と特定の端末器との間で音声通信を行うように、いずれか一方を選択可能にする事により、宅内にて特定の端末器（緊急コール端末器）により緊急コールを発信した第１の使用者は、モード設定手段によりモードを設定した第２の使用者との間で（第２の使用者が外出・在宅にかかわらず）速やかな音声通話が可能となる。
【００３５】
なお、本実施例では、一例をフローチャートで示したがこれに限るものでなく、宅内にて特定の端末器により緊急コールを発信した第１の使用者は、前記モード設定手段によりモードを設定した第２の使用者との間で速やかな音声通話が可能となるものであれば別のフローチャートであってもよい。
【００３６】
なお、本実施例では、緊急コール端末器の台数を１台と具体的に示したが、台数は特に限定するものではなく、緊急コール端末器のアドレスコードと状態コードを特定できる限りにおいては、緊急コール端末器の台数は何台でも構わない。
【００３７】
また、本実施例では通信媒体として無線を用いているが、専用線による有線通信、電灯線搬送通信、赤外線通信、光ファイバ通信など、いずれも通信媒体を用いても同様の効果を有するものである。
【００３８】
（実施例２）
本実施例２の中央処理装置の内部ブロック図は実施例１と同じ構成である。また、図６は、中央処理装置の要部動作を示すフロ−チャ−トである。
【００３９】
以上のように構成された監視システムについて、以下その動作、作用を説明する。
【００４０】
中央処理装置の動作を開始すると、図６のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３３にてモード内容が、全ての侵入検知用の端末器より非定常状態である信号（侵入検知信号）を受け付ける第１の設定モード（以下、外出警戒モードと言う）の場合、ステップ２９にて公衆回線接続手段７および外線接続部８を用いて設定部９にてあらかじめ登録している外線電話に電話をかけ通信を確立し、ステップ３０ａにて緊急コール端末器との通話を開始する。
【００４１】
本実施例と実施例１との大きな違いは、（本実施例であれば、全ての侵入検知用の端末器を動作させる外出警戒モードに設定したが）侵入検知用の端末器の受付設定モードと、宅内にて緊急コール端末器により緊急コールを発信した第１の使用者の通話先（中央処理装置か外線電話のいずれか一方）を設定する通話先の設定モードを、１つのモード設定手段で兼用した事である。つまり、緊急コール端末器により緊急コールを発信した第１の使用者の要請対象である第２の使用者が、本実施例では、全部の侵入検知用の端末器を侵入検知を受け付ける（侵入検知センサのオールオンにする）外出警戒モードに設定するのであるから、第２の使用者が外出する事は明確であり、それであれば、宅内にて緊急コール端末器により緊急コールを発信した第１の使用者の通話先も連動して外線電話に設定しようと言うものである。
【００４２】
以上のように、本実施例では、宅内にて特定の端末器（緊急コール端末器）により緊急コールを発信した第１の使用者の通話先を、外出警戒モードの場合には、予め登録された通信装置に外線電話とする事により、第２の使用者との間で外線電話を使って速やかな音声通話が可能となるものである。
【００４３】
なお、本実施例では、一例をフローチャートで示したがこれに限るものでなく、宅内にて特定の端末器により緊急コールを発信した第１の使用者は、前記モード設定手段によりモードを全ての端末器より非定常状態である信号（侵入検知信号など）を受け付ける第１の設定モードを設定して外出した第２の使用者との間で外線電話を使って速やかな音声通話が可能となるものであれば別のフローチャートであってもよい。
【００４４】
（実施例３）
本実施例３の中央処理装置の内部ブロック図は実施例１と同じ構成である。また、図７は、中央処理装置の要部動作を示すフロ−チャ−トである。
【００４５】
以上のように構成された監視システムについて、以下その動作、作用を説明する。
【００４６】
中央処理装置の動作を開始すると、図７のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３４にてモード内容が、複数の端末器の中で幾つかの端末器だけ非定常状態である信号（侵入検知信号）を受け付ける第２の設定モード（以下、在宅警戒モードと言う）の場合、さらに、ステップ２８にて（通話先の内容を設定している）モードの内容が、外線電話に接続するモードである場合、ステップ２９にて公衆回線接続手段７および外線接続部８を用いて設定部９にてあらかじめ登録している外線電話に電話をかけ通信を確立し、ステップ３０ａにて緊急コール端末器との通話を開始する。また、ステップ２８にて（通話先の内容を設定している）モードの内容が、外線電話に接続するモードでない場合（外線電話に電話をかけることなく）、ステップ３０ｂにて緊急コール端末器との通話を開始する。
【００４７】
ここで、在宅警戒モードについて補足説明するが、例えば、店舗と住居を兼ねる３階建ての住居を想定するとわかりやすい。在宅警戒モードは、夜間に１階の店舗だけ侵入検知用の端末器からの侵入検知信号を受け付けるようにし、２〜３階の侵入検知用の端末器からの侵入検知信号は受け付けないようにするものである。この在宅警戒モードにて、緊急コール端末器を持つ高齢者が２階で、その他の家人は３階で就寝している場合に、緊急コール端末器により緊急コールを発信した第１の使用者（高齢者）の通話先は、３階に中央処理装置を設置している場合には中央処理装置となるが、仮に（家人が就寝している場所から離れている）２階の台所などに設置している場合には、３階の家人の携帯電話（外線電話）となる。
【００４８】
このように、在宅警戒モードを設定した場合の緊急コール端末器からの呼び出し通話先は、中央処理装置か外線電話のいずれかは、使用者の使用環境によるものであり、一度は設定する必要はあるが（この例であれば、通知先の家人は毎日３階で就寝しているわけだから）、在宅警戒モードにおける通話先は基本的に変更がないと考えられるため、侵入検知用の端末器の受付設定モードと、宅内にて緊急コール端末器により緊急コールを発信した第１の使用者の通話先（中央処理装置か外線電話のいずれか一方）を設定する通話先の設定モードを、１つのモード設定手段で兼用することにより利便性を高めようと言うものである。
【００４９】
以上のように、本実施例では、宅内にて特定の端末器（緊急コール端末器）により緊急コールを発信した第１の使用者の通話先を、在宅警戒モードの場合には、あらかじめ設定したモードにより中央処理装置か外線電話のいずれか一方を選択できるようにしたものであり、宅内にて特定の端末器（緊急コール端末器）により緊急コールを発信した第１の使用者は、在宅警戒モードを設定した第２の使用者との間で速やかな音声通話が可能となるものである。
【００５０】
なお、本実施例では、一例をフローチャートで示したがこれに限るものでなく、宅内にて特定の端末器により緊急コールを発信した第１の使用者と、前記モード設定手段により複数の端末器の中で幾つかの端末器だけ非定常状態である信号を受け付ける第２の設定モードを設定した第２の使用者との間で速やかに音声通話を行うことができるように特定の端末器と音声通話を行う対象を、中央処理装置か外線電話かのいずれか一方を選択可能とするものであれば別のフローチャートであってもよい。
【００５１】
（実施例４）
本実施例４の中央処理装置の内部ブロック図は実施例１と同じ構成である。また、図８は、中央処理装置の要部動作を示すフロ−チャ−トである。
【００５２】
以上のように構成された監視システムについて、以下その動作、作用を説明する。
【００５３】
中央処理装置の動作を開始すると、図８のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３５にてモード内容が、全ての侵入検知用の端末器より非定常状態である信号（侵入検知信号）を受け付けない第３の設定モード（以下、警戒解除モードと言う）の場合（外線電話に電話をかけることなく）、ステップ３０ｂにて中央処理装置と緊急コール端末器との間で通話を開始する。
【００５４】
つまり、緊急コール端末器により緊急コールを発信した第１の使用者の要請対象である第２の使用者が、本実施例では、全部の侵入検知用の端末器を侵入検知を受け付けない（侵入検知センサのオールオフにする）警戒解除モードに設定するのであるから、第２の使用者が在宅している事は明確であり（また多くの場合、警戒解除モードを設定するのは昼間であり中央処理装置の呼び出し音などに気づきやすく中央処理装置にて会話する事が想定されるため）、それであれば、宅内にて緊急コール端末器により緊急コールを発信した第１の使用者の通話先も中央処理装置に設定しようと言うものである。
【００５５】
以上のように、本実施例では、宅内にて特定の端末器（緊急コール端末器）により緊急コールを発信した第１の使用者の通話先を、警戒解除モードの場合には、中央処理装置とする事により、第２の使用者との間で中央処理装置を使って速やかな音声通話が可能となるものである。
【００５６】
なお、本実施例では、一例をフローチャートで示したがこれに限るものでなく、宅内にて特定の端末器により緊急コールを発信した第１の使用者は、前記モード設定手段によりモードを全ての端末器より非定常状態である信号を受け付けない第３の設定モードを設定し在宅している第２の使用者との間で中央処理装置を介して速やかな音声通話が可能とするものであれば別のフローチャートであってもよい。
【００５７】
（実施例５）
本実施例５の中央処理装置の内部ブロック図は実施例１と同じ構成である。また、図９は、中央処理装置の要部動作を示すフロ−チャ−トである。
【００５８】
以上のように構成された監視システムについて、以下その動作、作用を説明する。
【００５９】
中央処理装置の動作を開始すると、図９のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３６にてモード内容が、全ての侵入検知用の端末器より非定常状態である信号（侵入検知信号）を受け付ける外出警戒モード（第１の設定モード）あるいは、複数の端末器の中で幾つかの端末器だけ非定常状態である信号（侵入検知信号）を受け付ける在宅警戒モード（第２の設定モード）で通話先が外線電話に設定されている場合、ステップ２９にて公衆回線接続手段７および外線接続部８を用いて設定部９にてあらかじめ登録している外線電話に電話をかけ通信を確立し、ステップ３０ａにて緊急コール端末器との通話を開始する。
【００６０】
この段階で、宅内にて特定の端末器（緊急コール端末器）により緊急コールを発信した第１の使用者は、モード設定（外出警戒モードまたは在宅警戒モードを設定）をして外出した第２の使用者との間で外線電話を使って音声通話（安否確認）を行っている訳だが、ステップ３７にて外線電話を切ることが可能なのは通話先の第２の使用者だけに限定しているのが特徴である（図示はしないが、緊急コール端末器には通話を切る手段を備えていない。）。なぜならば、緊急コールを送信する第１の使用者の状況は様々であり、例えば、意識が朦朧としている中で緊急コールによる送信を行っている場合に、あやまって緊急コールの呼出しや、通話を切断することは許されないことである。
【００６１】
一方で、第１の使用者が間違って緊急コール呼出しボタンを押した場合のキャンセルの手段がないと考える諸子もあろうかと思うが、本発明の基本的な趣旨として、第１の使用者が間違って緊急コール呼出しボタンを押した場合にも第２の使用者と会話を行い、今回の緊急コール呼出しが間違いであったことを知るようにしている。これも、第１の使用者の安全を確認する１つの方法なのである。
【００６２】
以上のように、本実施例では、宅内にて特定の端末器（緊急コール端末器）により緊急コールを発信した第１の使用者が、モード設定（外出警戒モードまたは在宅警戒モードを設定）をして外出した第２の使用者との間で外線電話を使って音声通話を行っている間、第１の使用者が不用意に通話を切断してしまうことを防ぐことを可能とするものである。
【００６３】
なお、本実施例では、一例をフローチャートで示したがこれに限るものでなく、宅内にて特定の端末器により緊急コールを発信した第１の使用者が、モード設定をして外出した第２の使用者との間で外線電話を使って音声通話を行っている間、第１の使用者が不用意に通話を切断してしまうことを防ぐものであれば別のフローチャートであってもよい。
【００６４】
（実施例６）
本実施例６の中央処理装置の内部ブロック図は実施例１と同じ構成である。また、図１０は、中央処理装置の要部動作を示すフロ−チャ−トである。
【００６５】
以上のように構成された監視システムについて、以下その動作、作用を説明する。
【００６６】
中央処理装置の動作を開始すると、図１０のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３６にてモード内容が、全ての侵入検知用の端末器より非定常状態である信号（侵入検知信号）を受け付ける外出警戒モード（第１の設定モード）あるいは、複数の端末器の中で幾つかの端末器だけ非定常状態である信号（侵入検知信号）を受け付ける在宅警戒モード（第２の設定モード）で通話先が外線電話に設定されている場合、ステップ２９にて公衆回線接続手段７および外線接続部８を用いて設定部９にてあらかじめ登録している外線電話に電話をかけ通信を確立し、ステップ３０ａにて緊急コール端末器との通話を開始する。
【００６７】
この段階で、宅内にて特定の端末器（緊急コール端末器）により緊急コールを発信した第１の使用者は、モード設定（外出警戒モードまたは在宅警戒モードを設定）をして外出した第２の使用者との間で外線電話を使って音声通話（安否確認）を行っている訳だが、ステップ３７にて外線電話を切ることが可能なのは通話先の第２の使用者だけに限定しており、さらに、ステップ３８にて外線電話との通話時間が３０秒に満たない場合には、ステップ２９に戻り（公衆回線接続手段７および外線接続部８を用いて）再度、外線電話に電話をかけなおす。
【００６８】
なぜならば、外線電話が例えば携帯電話と仮定し、携帯電話の使用する環境下の電波の状態が悪い場合、携帯電話の呼び出しに対して第２の使用者が応答直後に通話が切断される場合があるからである。つまり、第２の使用者が第１の使用者の状況を把握することが可能な最低限の時間を、監視システムとして成り立たせようと言うものである。
【００６９】
以上のように、本実施例では、宅内にて特定の端末器（緊急コール端末器）により緊急コールを発信した第１の使用者が、モード設定（外出警戒モードまたは在宅警戒モードを設定）をして外出した第２の使用者との間で外線電話を使って音声通話を行っている際に、通話時間が所定の値に満たない場合、通信装置に外線接続を繰り返すようにしたものであり、これにより、宅内にて特定の端末器（緊急コール端末器）により緊急コールを発信した第１の使用者が、モード設定（外出警戒モードまたは在宅警戒モードを設定）をして外出した第２の使用者との間で外線電話を介して音声通話を行っている間に、例えば、外線電話の事情（携帯電話で受ける通信電波が弱い場合）や外線電話に応答した前記第２の使用者が誤った操作から、前記第１の使用者の状況を把握する前に通話を切断してしまった場合にも、速やかに外線電話による通話を回復するものである。
【００７０】
なお、本実施例では、緊急コール端末器と外線電話との最低限通話する時間を３０秒間などと具体的に示したが、この時間は本発明を限定するものではない。
【００７１】
なお、本実施例では、一例をフローチャートで示したがこれに限るものでなく、宅内にて特定の端末器により緊急コールを発信した第１の使用者が、モード設定をして外出した第２の使用者との間で外線電話を使って音声通話を行っている間に、例えば、外線電話の事情や外線電話に応答した前記第２の使用者が誤った操作から、前記第１の使用者の状況を把握する前に通話を切断してしまった場合にも、速やかに外線電話の通話を回復するものであれば別のフローチャートであってもよい。
【００７２】
（実施例７）
本実施例７の中央処理装置の内部ブロック図は実施例１と同じ構成である。また、図１１は、中央処理装置の要部動作を示すフロ−チャ−トである。
【００７３】
以上のように構成された監視システムについて、以下その動作、作用を説明する。
【００７４】
中央処理装置の動作を開始すると、図１１のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３９にてモード内容が、全ての侵入検知用の端末器より非定常状態である信号（侵入検知信号）を受け付けない警戒解除モード（第３の設定モード）または、複数の端末器の中で幾つかの端末器だけ非定常状態である信号（侵入検知信号）を受け付ける在宅警戒モード（第２の設定モード）で通話先が中央処理装置に設定されている場合（外線電話に電話をかけることなく）、ステップ４０にて侵入検知用の端末器である端末器２〜３の音声出力手段１６により呼び出しブザー（チャイム音のメロディ）を一斉に吹鳴し、その後、ステップ３０ｂにて中央処理装置と緊急コール端末器との間で通話を開始する。
【００７５】
つまり、緊急コール端末器により緊急コールを発信した第１の使用者の要請対象である第２の使用者は、警戒解除モード（あるいは在宅警戒モード）に設定しており在宅している事は明確であるが、必ずしも中央処理装置の側近にいるとは限らないので、別目的の端末器（ここでは侵入検知用の端末器である端末器２〜３）の音声出力手段を有効に活用しようと言うものである。
【００７６】
以上のように、本実施例では、第１の使用者が宅内にて特定の端末器（緊急コール端末器）により緊急コールを発信した場合、他の端末器においても呼出音を吹鳴するようにしたものであり、これにより、宅内にて特定の端末器（緊急コール端末器）により緊急コールを発信した第１の使用者の要求を、モード設定し（在宅警戒モードまたは警戒解除モードを設定し）在宅している第２の使用者に速やかに知らせることを可能とするものである。
【００７７】
なお、本実施例では、呼出音を吹鳴する別目的の端末器を侵入検知用の端末器である端末器２〜３と具体的に台数を示したが、この端末器は本発明を限定するものではなく、緊急コール端末器以外の端末器であれば何台であろうと構わない。
【００７８】
なお、本実施例では、一例をフローチャートで示したがこれに限るものでなく、宅内にて特定の端末器により緊急コールを発信した第１の使用者の要求を、モード設定し在宅している第２の使用者に速やかに知らせることを可能とするものであれば別のフローチャートであってもよい。
【００７９】
（実施例８）
本実施例８の中央処理装置の内部ブロック図は実施例１と同じ構成である。また、図１２は、中央処理装置の要部動作を示すフロ−チャ−トである。
【００８０】
以上のように構成された監視システムについて、以下その動作、作用を説明する。
【００８１】
中央処理装置の動作を開始すると、図１２のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ２７にて、モード設定手段２５に予め設定されているモード内容を呼び出し、ステップ３５にてモード内容が、全ての侵入検知用の端末器より非定常状態である信号（侵入検知信号）を受け付けない警戒解除モード（第３の設定モード）である場合（外線電話に電話をかけることなく）、ステップ４１にて別目的の端末器（ここでは侵入検知用の端末器である端末器２）の設置した場所の周囲に家人がいることを検知すると、ステップ４２にて家人を検知した端末器と緊急コール端末との間で通話を開始する。
【００８２】
つまり、緊急コール端末器により緊急コールを発信した第１の使用者の要請対象である第２の使用者は、警戒解除モード（あるいは在宅警戒モード）に設定しており在宅している事は明確であるが、必ずしも中央処理装置の側近にいるとは限らないので、警戒解除モードの時には使用しないであろう別目的の端末器（ここでは侵入検知用の端末器である端末器２）が家人を検知した場合には、この端末器の音声通信手段を有効に活用しようと言うものである。
【００８３】
以上のように、本実施例では、第１の使用者が宅内にて特定の端末器（緊急コール端末器）により緊急コールを発信した場合、中央処理装置と特定の端末器との間で音声通信を行う際に、他の端末器から非定常状態である信号を受け付けた時には、非定常状態である信号を送信した端末器と緊急コール端末器との間で音声通信を行うようにしたものであり、これにより、宅内にて特定の端末器（緊急コール端末器）により緊急コールを発信した第１の使用者は、前記モード設定手段によりモードを全ての端末器（侵入検知用の端末器）より非定常状態である信号（侵入検知信号）を受け付けない第３の設定モード（警戒解除モード）を設定し在宅している第２の使用者が、中央処理装置の近くにいない場合にでも（本来侵入検知の用途として）宅内に設置している端末器（侵入検知用の端末器）の近くにいる場合には、その端末器と音声による通話が可能となるものである。
【００８４】
なお、本実施例では、一例をフローチャートで示したがこれに限るものでなく、宅内にて特定の端末器により緊急コールを発信した第１の使用者は、前記モード設定手段によりモードを全ての端末器より非定常状態である信号を受け付けない第３の設定モードを設定し在宅している第２の使用者が、中央処理装置の近くにいない場合にでも宅内に設置している端末器の近くにいる場合には、その端末器と音声による通話が可能とするものであれば別のフローチャートであってもよい。
【００８５】
（実施例９）
図１３は、本発明の実施例９の端末器４（特定の端末器である緊急コール端末器）の内部ブロック図であり、図１４は、中央処理装置の要部動作を示すフロ−チャ−トである。図１３〜４４に示すように従来例との違いを述べると、図１３において４３は、中央処理装置に非定常状態である信号を送信中である旨を示す（つまり緊急コール端末から呼び出し中である事を示す）第１の表示手段（以下、呼出中ランプと呼ぶ）である。４４は、中央処理装置と特定の端末器（緊急コール端末器）との間で音声通信を行う、または、予め登録された通信装置に外線接続し前記通信装置と特定の端末器（緊急コール端末器）との間で音声通信を行う状態が確立された旨を示す（つまり通話が可能な状態である事を示す）第２の表示手段（以下、通話中ランプと呼ぶ）である。その他は、中央処理装置以外は従来例と同じ構成である。
【００８６】
以上のように構成された監視システムについて、以下その動作、作用を説明する。
【００８７】
中央処理装置の動作を開始すると、図１５のフローチャートに示すように、ステップ２６にてデータ通信手段５より端末器４の緊急コール手段１８が動作した（つまり、緊急コール端末器の緊急コールボタンスイッチを押した）と言うデータを受信したかを検知し、ステップ４５にて呼出中ランプ４３を点灯し、ステップ２７にて、モード設定手段２５に予め設定されているモード内容を呼び出し、ステップ２８にてモード内容が、外線電話に接続するモードである場合、ステップ２９にて公衆回線接続手段７および外線接続部８を用いて設定部９にてあらかじめ登録している外線電話に電話をかけ通信を確立し、ステップ４６ａにて呼出中ランプ４３を消灯して一方で通話中ランプ４４を点灯し、ステップ３０ａにて緊急コール端末器との通話を開始する。
【００８８】
外線電話により緊急コールを発信した使用者の状況を確認した後に、ステップ３１にて外線電話との通信を切断し、ステップ３２にて緊急コール端末器との通話を切断するのと同時に、ステップ４７にて通話中ランプ４４を消灯して一連の安否確認処理を終了する。
【００８９】
一方、ステップ２８にてモード内容が外線電話に接続するモードでない場合（外線電話に電話をかけることなく）、ステップ４６ｂにて呼出中ランプ４３を消灯して一方で通話中ランプ４４を点灯し、ステップ３０ｂにて中央処理装置２４と緊急コール端末器との通話を開始し、緊急コールを発信した使用者の状況を確認した後に、ステップ３２にて緊急コール端末器との通話を切断するのと同時に、ステップ４７にて通話中ランプ４４を消灯して一連の安否確認処理を終了する。
【００９０】
以上のように、本実施例では、第１の使用者が宅内にて特定の端末器（緊急コール端末器）により緊急コールを発信した場合に、中央処理装置に緊急コール端末から呼び出し中である段階では、呼出中ランプを点灯させ、緊急コール端末器が外線電話あるいは中央処理装置と通話できる段階では、通話中ランプを点灯する事により、宅内にて緊急コール端末器により緊急コールを発信した第１の使用者に対して、緊急コールの要請対象である第２の使用者への呼び出し課程を明示する事により、呼び出し中の不安やいらだちを解消することを可能とするものである。
【００９１】
なお、本実施例では、第１の表示手段（呼出中ランプ）と第２の表示手段（通話中ランプ）別の部材を用いて表現する方法を示したが、例えば、呼出中ではランプを点滅し通話中にはランプを点灯するなどして１つの表示手段（ランプ）により表現しても構わない。また別の方法で表示してもよい。
【００９２】
なお、本実施例では、一例をフローチャートで示したがこれに限るものでなく、宅内にて特定の端末器により緊急コールを発信した第１の使用者に対して、第１の表示手段にて緊急コールを第２の使用者に要請している過程を知らせ、また、第２の表示手段にて通話可能なタイミングを知らせることを可能とするものであれば別のフローチャートであってもよい。
【００９３】
【発明の効果】
以上のように、本発明によれば、監視システムは、定常または非定常の状態を監視する複数の端末器および１台の中央処理装置と、前記端末器および前記中央処理装置との間で、前記定常状態または非定常状態に関するデータの送信または受信を行うデータ通信手段と、音声信号の送信または受信を行う音声通信手段と、複数のモードを設定するモード設定手段を備え、中央処理装置は、前記端末器のうち特定の端末器から非定常状態である信号を受信した場合、前記モード設定手段のモード内容に応じて、中央処理装置と特定の端末器との間で音声通信を行う、または、予め登録された通信装置に外線接続し前記通信装置と特定の端末器との間で音声通信を行うようにしたものであり、これにより、宅内にて特定の端末器により緊急コールを発信した第１の使用者は、前記モード設定手段によりモードを設定した第２の使用者との間で速やかな音声通話が可能となるものである。
【図面の簡単な説明】
【図１】本発明の実施例１のシステムブロック図
【図２】本発明の実施例１の中央処理装置の内部ブロック図
【図３】本発明の実施例１の端末器２〜３の内部ブロック図
【図４】本発明の実施例１の端末器４の内部ブロック図
【図５】本発明の実施例１の中央処理装置の動作フロ−チャ−ト
【図６】本発明の実施例２の中央処理装置の動作フロ−チャ−ト
【図７】本発明の実施例３の中央処理装置の動作フロ−チャ−ト
【図８】本発明の実施例４の中央処理装置の動作フロ−チャ−ト
【図９】本発明の実施例５の中央処理装置の動作フロ−チャ−ト
【図１０】本発明の実施例６の中央処理装置の動作フロ−チャ−ト
【図１１】本発明の実施例７の中央処理装置の動作フロ−チャ−ト
【図１２】本発明の実施例８の中央処理装置の動作フロ−チャ−ト
【図１３】本発明の実施例９の端末器４の内部ブロック図
【図１４】本発明の実施例９の中央処理装置の動作フロ−チャ−ト
【図１５】従来の監視システムのシステムブロック図
【図１６】従来の監視システムの中央処理装置の内部ブロック図
【図１７】従来の監視システムの端末器２〜３の内部ブロック図
【図１８】従来の監視システムの端末器４の内部ブロック図
【符号の説明】
２、３　端末器
４　端末器（特定の端末器）
５、１４　データ通信手段
６、１５　音声通信手段
７　公衆回線接続手段（通信回線接続装置）
１０、１６　音声出力手段
１１、１７　音声入力手段
１２　侵入検知手段
２４　中央処理装置
２５　モード設定手段
【図１】
2004029997.tif 000003
【図２】
2004029997.tif 000004
【図３】
2004029997.tif 000005
【図４】
2004029997.tif 000006
【図５】
2004029997.tif 000007
【図６】
2004029997.tif 000008
【図７】
2004029997.tif 000009
【図８】
2004029997.tif 000010
【図９】
2004029997.tif 000011
【図１０】
2004029997.tif 000012
【図１１】
2004029997.tif 000013
【図１２】
2004029997.tif 000014
【図１３】
2004029997.tif 000015
【図１４】
2004029997.tif 000016
【図１５】
2004029997.tif 000017
【図１６】
2004029997.tif 000018
【図１７】
2004029997.tif 000019
【図１８】
2004029997.tif 000020